(57)【要約】【課題】全く新奇な収納ケースを提供することを目論み、ウエットタイプのロール状ペーパーの乾燥を可及的に防止して、長期にわたり保湿を保てるようにしながら、ロール状ペーパーの引き出しはこれを円滑に行えるようにする。【解決手段】下ケース２と、その背部に設けられたヒンジ３を介してこの下ケース２に一体に設けられ、この下ケース２に対して開閉自在な上ケース４と、下ケース２の前部上縁の全長にわたって前方斜め下方に向って一体に延設されたガイド５と、上ケース４の前部下縁には、その全長にわたって、下ケース２のガイド５との間にロール状ペーパー６を引き出すための僅かな通路７を開けて前方斜め下方に向って延設された上ガイド８と、少なくとも下ケース２の左右の側板２Ａに側方に張出して設けられる掛かり止め具１１を備えている。【選択図】　　　　図１
2004057554.tif 000002
【特許請求の範囲】
【請求項１】
ウエットタイプのロール状ペーパーを回転可能に収容する保湿性ケースで、下ケースと、その背部に設けられたヒンジを介してこの下ケースに一体に設けられ、この下ケースに対して開閉自在な上ケースと、下ケースの前部上縁の全長にわたって前方斜め下方に向って一体に延設されたガイドと、また、上ケースの前部下縁には、その全長にわたって、下ケースのガイドとの間にロール状ペーパーを引き出すための僅かな間隔を開けて前方斜め下方に向って延設された上ガイドと、更に少なくとも下ケースの左右の側板に側方に張出して設けられ、ホルダーの左右の側板に設けられた受け止め具に支持される掛かり止め具とからなり、上ケースで下ケースを閉塞したときは、上ケースの左右並びに背部の開口周縁下面が下ケースの左右並びに背部の開口周縁上面に密接するように構成されていることを特徴とするトイレットペーパー保湿ケース。
【請求項２】
上ケースの上ガイドの延出端の全長からはロール状ペーパーを切断するための歯となる鉛直板が一体に垂下連設されている請求項１記載のトイレットペーパー保湿ケース。
【請求項３】
上ケースは、その左右の側板の側方で、下ケースの掛かり止め具の設置位置と上下方向で対応する位置に、下ケースの掛かり止め具と共にホルダーの受け止め具に支持される掛かり止め具が張出して設けられている請求項１記載のトイレットペーパー保湿ケース。
【請求項４】
ヒンジは、中央部分が薄肉厚の可撓性連結部を備え、上下のケースの背部にこれら上下のケースと一体成形される連結板部とから構成されている請求項１記載のトイレットペーパー保湿ケース。
【請求項５】
下ケース若しくは上ケースのいずれか一方で、その左右並びに背部の開口周縁面に気密材が設けられている請求項１記載のトイレットペーパー保湿ケース。
【発明の詳細な説明】
【０００１】
【産業上の利用分野】
この発明は、ウエットタイプのロール状トイレットペーパーを収納し、適宜引出口から繰り出して使用するのに用いられる保湿ケースに関する。
【０００２】
【従来の技術】
従来のロール状トイレットペーパーは、乾式で、卷芯に、あるいは卷芯なしに長尺紙をロール状に巻き付け、これを適宜ホルダーと称される保持具に保持させている。
【０００３】
ところで、近年斯る乾式のトイレットペーパーに代わって、ウエットタイプのロール状のものが市販されるようになってきた。これは、例えば疾患や体調不良などのときに敏感な皮膚を不用意に刺激するのを予防したり、殊に幼児などには一層優しく、更には手やテーブル、床などの汚れを取るにも簡便で、効率良く　　拭き取れる優れた利便性を要求する結果であるためと考えられる。したがって、このウエットタイプのロール状ペーパーは、乾式と比較して使用量も大変少なくなり、資源の有効活用状も大変望ましい商品である。
【０００４】
また、従来のトイレットペーパーホルダー０１は、図８に示されるように、概ね壁面などへの取り付け板部０２と、その左右端に一体に連結され、トイレットペーパーを保持するたるめの、前方に突出する左右側板０３と、この左右側板０３の上端間にわたって掛け渡された、トイレットペーパー切断刃も兼ねたカバー板０４とから構成されている。なお、図中０５は、巻芯０６を支えるために、この左右の側板０３に設けられた支持具である。
【０００５】
【発明が解決しようとする課題】
しかし、ウエットタイプのトイレットペーパーは、依然としてこのような開放部の多いというよりは、全く開放された従来のホルダーに収容されて使用されている。その結果、ウエットタイプのロール状ペーパーは、表面から乾燥し、たちまちの内に従来の乾式のロール状ペーパーになってしまい、ウエットタイプ本来の優れた機能が全く削がれてしまう。
【０００６】
そこで、この発明は、このような観点から、全く新規な収納ケースを提供することを目論み、ウエットタイプのロール状ペーパーの乾燥を可及的に防止して、長期にわたり保湿を保てるようにしながら、ロール状ペーパーの引き出しはこれを円滑に行えるようにすることを課題とする。
【０００７】
【課題を解決するための手段】
以上の技術的な課題を解決するために、この発明の請求項１記載のトイレットペーパー保湿ケースは、ウエットタイプのロール状ペーパーを回転可能に収容する保湿性ケースで、下ケースと、その背部に設けられたヒンジを介してこの下ケースに一体に設けられ、この下ケースに対して開閉自在な上ケースと、下ケースの前部上縁の全長にわたって前方斜め下方に向って一体に延設されたガイドと、また、上ケースの前部下縁には、その全長にわたって、下ケースのガイドとの間にロール状ペーパーを引き出すための僅かな間隔を開けて前方斜め下方に向って延設された上ガイドと、更に少なくとも下ケースの左右の側板に側方に張出して設けられ、ホルダーの左右の側板に設けられた受け止め具に支持される掛かり止め具とからなり、上ケースで下ケースを閉塞したときは、上ケースの左右並びに背部の開口周縁下面が下ケースの左右並びに背部の開口周縁上面に密接するように構成されたものである。
【０００８】
【作用】
以上の構成によるトイレットペーパー保湿ケースにおいては、まず上ケースをヒンジを介して上方に回動して下ケースの上部を開放する。ウエットタイプのロール状ペーパーをこの開放された上方から下ケース内に収納する。次いで、このロール状ペーパーの先端を繰り出し、下ケースのガイドに沿わせてその上に載置する。その後、この上ケースを下ケースに所期の締め合せ姿勢にして閉じる。また、ガイド上に載置されたロール状ペーパーは、ガイドと上ガイドで形成される引き出し用の通路内にあって上方が上ケースの上ガイドで覆われ、乾燥度合が緩慢になる。ウエットタイプのロール状ペーパーを使用するには、先ずカバーを上方に持ち上げて通路をやや開放し、所定量のロール状ペーパーを引き出す。次いで、ガイドの下縁で、あるいは閉止した上ケースの上ガイドの下縁をカッター代わりとして適宜に引き千切る。下ケースは上ケースによって、気密的に閉塞されているので、この保湿性ケース内は外気と可及的に遮断され、ウエットタイプのロール状ペーパーの水分の蒸散を上手く阻止し、長日月このウエットタイプのロール状ペーパーの湿潤状態を保持する。
【０００９】
また、左右の側板に設けられた掛かり止め具は、既存のホルダ、例えば図８に示されるような、左右側板に支持具を備えたようなタイプのものに簡便にセットできる。
【００１０】
【発明の効果】
したがって、この発明の請求項１記載のトイレットペーパー保湿ケースは、以下の効果を奏する。
上ケースと下ケースで形成される保湿性ケースは、ウエットタイプのロール状ペーパーの引き出し用の通路を除いては外気をうまく遮断する。また、この通路も上カバーの上ガイドによって覆われていて、保湿性ケース内は外気とうまく遮断される。つまりケース内は可及的に気密に保たれるので、ウエットタイプのロール状ペーパーの水分の蒸散を上手く阻止し、長日月にわたりウエットタイプのロール状ペーパーの保湿を維持できる。したがって、使用に際しては、皮膚の刺激をより一層和らげ、しかも衛生的で、使用中、また、使用後の爽快感を得ることができる。
【００１１】
また、左右の側板に設けられた掛かり止め具によって、この発明に係るトイレットペーパー保湿ケースは既存のホルダにも簡便にセットできる。したがって、専用のホルダーを必要とせず、廉価に提供し易い。
【００１２】
また、この発明に係るトイレットペーパー保湿ケースは、請求項２に記載されるように、上ケースの上ガイドの延出端の全長からはロール状ペーパーを切断するための歯となる鉛直板が一体に垂下連設されるのが望ましい。
鉛直板によって、空気の流れがストレートに通路に流れ込むのを可及的に抑止してくれ、ウエットタイプのロール状ペーパーの湿潤状態をうまく保て、特にこのガイド部分に残存するロール状ペーパーの先端部の乾燥をうまく抑止してくれるからである。
【００１３】
更に、この発明に係るトイレットペーパー保湿ケースは、請求項３に記載されるように、上ケースは、その左右の側板の側方で、下ケースの掛かり止め具の設置位置と上下方向で対応する位置に、下ケースの掛かり止め具と共にホルダーの受け止め具に支持される掛かり止め具が張出して設けられるのが望ましい。
上ケースの支持も的確に行われ、例えば実施の形態に示されるようなホルダーの受け止め具がばね様の支持具である場合に、上下両ケースの締め合せ部の密接度合を一層高めることができ、保湿性ケース内の湿潤状態をより一層好ましく保持してくれるからである。
【００１４】
また、この発明に係るトイレットペーパー保湿ケースは、請求項４に記載されるように、ヒンジは、中央部分が薄肉厚の可撓性連結部を備え、上下のケースの背部にこれら上下のケースと一体成形される連結板部とから構成されるのが望ましい。
保湿性ケースを上下両ケースともども一つの金型で、しかも一度の成形で製造でき、その後の特別の加工の手数も必要としないので、格段に廉価で提供できるからである。
【００１５】
更に、　下ケース若しくは上ケースのいずれか一方で、その左右並に背部の開口周縁面に気密材が設けられるのが望ましい。
保湿性ケースの気密度合を格段に高め、より一層ウエットタイプのロール状ペーパーの水分の蒸散を上手く阻止し、長日月にわたりウエットタイプのロール状ペーパーの保湿を維持できるからである。
【００１６】
【発明の実施の形態】
以下、この発明に係るトイレットペーパー保湿ケースの実施の形態を図１〜７の記載に基づいて説明する。
【００１７】
ウエットタイプのロール状ペーパーを回転可能に収容する保湿性ケース１は、図２，４に示されるように、下ケース２と、その背部に設けられたヒンジ３を介してこの下ケース２に一体に設けられ、この下ケース２に対して開閉自在な上ケース４を備える。また、下ケース２の前部上縁の全長にわたって前方斜め下方に向って一体に延設されたガイド５を備える。また、上ケース４の前部下縁には、その全長にわたって、下ケース２のガイド５との間にロール状ペーパー６を引き出すための僅かな間隔を開けて通路７を形成するように、前方斜め下方に向って、この下ケースのガイド５と並行に上ガイド８が延設されている。更に、少なくとも下ケース２の左右の側板２Ａの外側面に、ホルダー９の左右の側板９Ａに設けられた受け止め具１０に支持される掛かり止め具１１が張出して設けられている。そして上ケース４で下ケース２を閉塞したときは、上ケース４の左右並びに背部の開口周縁下面が下ケース２の左右並びに背部の開口周縁上面に密接するように構成されている。
【００１８】
このウエットタイプのロール状ペーパー６は、精製水、プロピレングリコール、パラベン、塩化セチルピリジニウムの混合液中に浸した水溶性のパルプ製またはケナフ製の紙をロール状に巻いて形成される。ロール状に巻くに当たっては、巻き芯を採用しても良く、また、芯無しでもよい。この発明に係るトイレットペーパー保湿性ケースはいずれのタイプであっても使用できる。また、ロール状ペーパー６は、切断し易くするために、幅方向に従来周知のミシン目（図外）が施されている。
【００１９】
下ケース２と上ケース４は、ほぼ円筒状を呈し、それぞれの両端開口に、半円状の側面板２Ａ，４Ａが一体に設けられる。これら上下両ケース２，４は、合成樹脂を素材にして、射出成形、プレス成形あるいはブロー成形など公知の手段によって得られる。保湿性ケース１は、全体に透明であるが、必要に応じて半透明、更には不透明、色彩の有無等如何なる態様も採用できる。また、これら上下のケース２，４に使用される代表的な素材は、ＰＰ（ポリプロピレン）である。
【００２０】
下ケース２と上ケース４の背部に設けられるヒンジ３は、保湿性ケース１の背部の左右二箇所に設けられる。このヒンジ３は、図２の一部を取り出して拡大した要部の断面図に示されるように、折り曲げ中心となる薄肉厚の可撓性連結部３Ａと、この可撓性連結部３Ａの両側に一体に連なる断面が三角形状の厚肉部３Ｂとからなり、この厚肉部３Ｂの一方が下ケース２の背部上縁に、また、他方が上ケース４の背部下縁に、それぞれ一体に繋がって設けられる。したがって、上ケース４は、このヒンジ３の可撓性連結部３Ａによって、下ケース２に対して自在に開閉できるように構成されている。
【００２１】
下ケース２の前部上縁の全長にわたって設けられるガイド５は、図２に示されるように、この下ケース２の前部上縁から引き続き一体に前方斜め下方に延設された扁平な板部分で形成されている。下ケース２の前部上縁からこの扁平な板部分の上端へはロール状ペーパー６の引き出しが滑らかに行えるように円弧に形成されている。また、このガイド５の下端縁からは、全長にわたって鉛直下方に向って鉛直板１２が一体に延設されている。そして、この下ケース２の前部上縁の前面とガイド８及び鉛直板１２の背面の間に形成されるほぼ三角形状の空間１３の左右両側にはこの空間の断面形状に合わせた側板１４が一体に設けられている。ガイド８の撓みを防止したり、強度をより高めるためである。
【００２２】
上ケース４の前部下縁の全長にわたって設けられる上ガイド８は、上ケース４の前部下縁をそのままガイド５と並行にして、前方斜め下方に延設される。この場合、ロール状ペーパー６の引き出しが円滑に行われるように、ガイド８との間に、少なくともこのロール状ペーパー６の厚みよりもやや幅のある間隔が保たれるように構成されている。このガイド５と上ガイド８とによって、ロール状ペーパー６の引出口とも言うべき前記通路７が形成される。
【００２３】
また、上ガイド８の下端縁からは全長にわたって鉛直下方に向って鉛直板１５が一体に延設され、その延設長さは、ガイド５の鉛直板１２の下端よりも更に下方まで至る。この鉛直板１５によって、空気の流れがストレートに通路７に流れ込むのを可及的に抑止でき、ウエットタイプのロール状ペーパー６の湿潤状態をうまく保て、特にこの通路７に残存するロール状ペーパーの先端部６Ａの乾燥をうまく抑止し、併せて保湿性ケース１内のロール状ペーパーの湿潤状態もうまく保つ。
【００２４】
下ケース２の左右の側板２Ａの上端と、上ケース４の左右の側板４Ａの下端には、図３に示されるように、締め合せ部１６が設けられている。先ず、下ケース２は、その左右の開口周縁のほぼ全長にわたって、段部１７が形成されている。
この段部１７は、開口縁の幅方向の１／２内側に、内面を下ケース２の内面と同じ面にして上方に一体に立ち上がる立上りフランジ１８によって得られる。また、上ケース４も、同様にその左右の開口周縁のほぼ全長にわたって、段部１９が形成されている。この段部１９は、開口縁の幅方向の１／２外側に、外面を上ケース４の表面と同じ面にして下方に一体に垂下する垂下フランジ２０によって得られる。そして、これら上下のケース２，３が、互いに段部１７，１９同士を嵌合し合うことで、この締め合せ部１６が得られる。保湿性ケース１内の湿潤状態がより望ましく保たれる。
【００２５】
また、この締め合せ部１６は背部にも形成される。図２に示されるように、下ケース２の背部開口縁のほぼ全長にわたって段部２Ｂが形成される。この段部２Ｂは、開口縁の幅方向の１／２内側に、内面を下ケース２の内面と同じ面にして上方に一体に立ち上がる立上りフランジ２Ｃによって得られる。上ケース４を閉じた際には、上ケース４の背部開口縁内面部分がこの立上りフランジ２Ｃの外面に密接するので、保湿性ケース１内の湿潤状態がより望ましく保たれる。
【００２６】
下ケース２と上ケース４の左右の側板２Ａ，４Ａには、ホルダー９の左右の側板９Ａに設けられた受け止め具１０に支持される掛かり止め具１１が、外方に向ってこの側板２Ａ，４Ａにそれぞれ一体に突設されている。この掛かり止め具１１は、丁度保湿性ケース１の中心部分に設けられた矩形の突起で形成されていて、下ケース２に上ケース４を被せた状態で、ほぼ四角形状を呈する。この掛かり止め具１１が、図６に示されるように、ホルダー９の側板９Ａに設けられた弾性を備え、上方開放で四角の受け部を備えた受け止め具１０に嵌入されることによって、保湿性ケース１が保持される。このとき、上ケースの掛かり止め具１１もこの受け止め具１０で弾性的に挟持されるために、上下両ケース２，４の締め合せ部１６、更には背部の上端縁同士の密接度合が一層高まり、保湿性ケース内の湿潤状態をより一層好ましく保持してくれる。
【００２７】
なお、ホルダー９は、図６に示されるように、壁面などへの取り付けを司る背面板９Ｂと、この背面板９Ｂの左右両端から前方に一体に突設された側板９Ａとから構成されている。そして、この側板９Ａの内側には、保湿性ケース１の掛かり止め具１１を支持する、上方開放で矩形の凹入を備えた支持板１０Ａで構成される受け止め具１０が設けられている。この受け止め具１０は、その前後の支持板の上端部１０Ｂがやや幅狭に形成されて弾性が付与される構成になっている。
したがって、掛かり止め具１１を受け止め具１０の凹入内に嵌入させると、この上端部１０Ｂの幅狭によって、上ケース４の掛かり止め具１１が弾性的に上方から下方に押圧されることになる。その結果、上下両ケース２，４の締め合せ部１６、更には背部の上端縁同士の密接度合が一層高まり、保湿性ケース内の湿潤状態をより一層好ましく保持してくれることになるのである。
図６中２１はホルダー９の背面板９Ａに設けられたネジ挿通穴である。
【００２８】
以上の構成において、まず、ロール状ペーパー６を保湿性ケース１に入れるには、上ケース４をヒンジ３を介して上方へ回動させて下ケース２の上部を開放する（図３参照）。ウエットタイプのロール状ペーパー６をこの開放された上方から下ケース２内に収納する。次いで、このロール状ペーパー６の先端を繰り出し、下ケース２の、少なくともガイド５の下端部分辺り、できれば上ガイド８の下端部分辺りまで引き出しておく。その後、下ケース２にこの上ケース４を所期の嵌合姿勢にして、被せる。このとき、ガイド５は上ガイド８によって常時覆われているので、少なくとも通路７にあるロール状ペーパー６の先端部分の乾燥を可及的に防止する。また、保湿性ケース１内は可及的に気密に保たれるので、ロール状ペーパー６の湿潤状態はより一層好ましく保持される。この状態から、つまり図１に示される状態からウエットタイプのロール状ペーパー６を引き出して使用するには、図２，５に示されるように、上ガイド８の背面側に指先を差込み、ロール状ペーパー６の先端部６Ａを摘まんで手前あるいは下方へ所定長さ引き出す。次いで、上ガイド８の下端縁をカッター代わりにして適宜引き千切る。
【００２９】
なお、ロール状ペーパー６の先端部６Ａが指先で摘まめない、例えばガイド５上辺りにまでしか引き出されていない場合には、上ケース４を少し上方に持ち上げて、このきのガイド５上辺りにあるロール状ペーパー６の先端部６Ａを更に適宜長さ引き出し、再び上ケース４を閉じて、必要量を引き出せば良い。
【００３０】
なお、図示しないが、下ケース２の左右並びに背部の上端縁上面あるいは上ケース４の左右並びに背部の下端縁下面に気密材を配置あるいは貼着することによって、保湿性ケースの気密性を更に高めるようにしても良い。この気密材は、天然ゴムや合成ゴムなどを素材にしてＯリング、また、必要に応じて不織布や独立気泡を備えるポリウレタンフォーム、エラストマーなどの軟質素材からなる成形パッキングなどが採用される。保湿性ケース１の気密度合を格段に高め、より一層ウエットタイプのロール状ペーパー６の水分の蒸散を上手く阻止し、長日月にわたりウエットタイプのロール状ペーパー６の保湿を維持できるからである。
【００３１】
また、この保湿性ケース１の掛かり止め具１１とこれを支持するホルダー９の受け止め具１０の形状は、少なくとも円形以外であれば如何なる形状、例えば長円形、楕円形、三角形、台形などであってもよい。つまり、保湿性ケース１が自在に回転することを阻止できる形状であればよい。円形であると、保湿性ケースそのものが回転してしまい、通路１５の位置が定まらず、ロール状ペーパー６の引き出しが困難になるからである。
【００３２】
なお、ホルダー９は、背板９Ｂに設けられているネジ挿通穴２１から背部の壁面などにネジや釘などを用いて取り付けられる。また、両面接着テープなどを介してもよい。
【図面の簡単な説明】
【図１】この発明の実施の形態におけるトイレットペーパー保湿ケースの外観図である。
【図２】この発明の実施の形態におけるトイレットペーパー保湿ケースを示し、一部を取り出して拡大した要部の拡大図を含む断面図である。
【図３】この発明の実施の形態におけるトイレットペーパー保湿ケースの要部の拡大断面図である。
【図４】この発明の実施の形態におけるトイレットペーパー保湿ケースにロール状ペーパーを収納する作用の説明図である。
【図５】この発明の実施の形態におけるトイレットペーパー保湿ケースの作用の説明図である。
【図６】この発明の実施の形態におけるトイレットペーパー保湿ケースをホルダーに　保持させる時の作用の説明図である。
【図７】この発明の実施の形態におけるトイレットペーパー保湿ケースをホルダーに　保持した後の説明図である。
【図８】従来のトイレットペーパー保持具の外観図である。
【符号の説明】
１…保湿性ケース，２…下ケース，３…ヒンジ，３Ａ…可撓性連結部，３Ｂ…厚肉部，４…上ケース，５…ガイド，６…ウエットタイプのロール状ペーパー，６Ａ…先端部，７…通路，８…上ガイド，９…ホルダー，９Ａ…側板，９Ｂ…背板，１０…受け止め具，１１…掛かり止め具，１５…鉛直板，１６…締め合せ部。
【図１】
2004057554.tif 000003
【図２】
2004057554.tif 000004
【図３】
2004057554.tif 000005
【図４】
2004057554.tif 000006
【図５】
2004057554.tif 000007
【図６】
2004057554.tif 000008
【図７】
2004057554.tif 000009
【図８】
2004057554.tif 000010